(57)【特許請求の範囲】
【請求項１】
ユーザが選択したオブジェクトを組み合わせてウェブコンテンツを生成する生成手段と、
生成された前記ウェブコンテンツに用いられた前記オブジェクトを特定できる属性ＩＤを取得して、属性ＩＤリストを作成する取得手段と、
生成された前記ウェブコンテンツに、作成された前記属性ＩＤリストを含めて所定のサーバに登録する登録手段と
を備える情報処理装置を用いて前記ウェブコンテンツを制作した制作者の個人プロファイル情報を取得する情報取得装置において、
ネットワーク上で公開されている前記ウェブコンテンツを受信する受信手段と、
受信された前記ウェブコンテンツから、前記ウェブコンテンツを構成する前記オブジェクトを特定できる属性ＩＤリストを抽出する抽出手段と、
属性ＩＤまたは前記属性ＩＤの組み合わせに対応するプロファイル情報が登録されているプロファイル対応表を保持する保持手段と、
前記プロファイル対応表、および抽出された前記属性ＩＤリストに基づいて前記制作者の個人プロファイル情報を作成する作成手段と
を含む情報取得装置。
【請求項２】
前記ウェブコンテンツは、３次元仮想空間である
請求項１に記載の情報取得装置。
【請求項３】
ユーザが選択したオブジェクトを組み合わせてウェブコンテンツを生成する生成手段と、
生成された前記ウェブコンテンツに用いられた前記オブジェクトを特定できる属性ＩＤを取得して、属性ＩＤリストを作成する取得手段と、
生成された前記ウェブコンテンツに、作成された前記属性ＩＤリストを含めて所定のサーバに登録する登録手段と
を備える情報処理装置を用いて前記ウェブコンテンツを制作した制作者の個人プロファイル情報を取得する情報取得装置の情報処理方法において、
ネットワーク上で公開されている前記ウェブコンテンツを受信する受信ステップと、
受信された前記ウェブコンテンツから、前記ウェブコンテンツを構成する前記オブジェクトを特定できる属性ＩＤリストを抽出する抽出ステップと、
属性ＩＤまたは前記属性ＩＤの組み合わせに対応するプロファイル情報が登録されているプロファイル対応表、および抽出された前記属性ＩＤリストに基づいて前記制作者の個人プロファイル情報を作成する作成ステップと
を含む情報取得方法。
【請求項４】
ユーザが選択したオブジェクトを組み合わせてウェブコンテンツを生成する生成手段と、
生成された前記ウェブコンテンツに用いられた前記オブジェクトを特定できる属性ＩＤを取得して、属性ＩＤリストを作成する取得手段と、
生成された前記ウェブコンテンツに、作成された前記属性ＩＤリストを含めて所定のサーバに登録する登録手段と
を備える情報処理装置を用いて前記ウェブコンテンツを制作した制作者の個人プロファイル情報を取得する情報取得装置の制御用のプログラムであって、
ネットワーク上で公開されている前記ウェブコンテンツを受信する受信ステップと、
受信された前記ウェブコンテンツから、前記ウェブコンテンツを構成する前記オブジェクトを特定できる属性ＩＤリストを抽出する抽出ステップと、
属性ＩＤまたは前記属性ＩＤの組み合わせに対応するプロファイル情報が登録されているプロファイル対応表、および抽出された前記属性ＩＤリストに基づいて前記制作者の個人プロファイル情報を作成する作成ステップと
を含む処理を情報取得装置のコンピュータに実行させるプログラムが記録されている記録媒体。
【請求項５】
ユーザが選択したオブジェクトを組み合わせてウェブコンテンツを生成する生成手段と、
生成された前記ウェブコンテンツに用いられた前記オブジェクトを特定できる属性ＩＤを取得して、属性ＩＤリストを作成する取得手段と、
生成された前記ウェブコンテンツに、作成された前記属性ＩＤリストを含めて所定のサーバに登録する登録手段と
を備える情報処理装置を用いて制作され、ネットワーク上で公開されている前記ウェブコンテンツを閲覧する閲覧者の個人プロファイル情報を取得する情報取得装置において、
前記属性ＩＤが付与されている前記オブジェクトから構成された前記ウェブコンテンツを、前記ネットワークを介して前記閲覧者側に供給する供給手段と、
供給された前記ウェブコンテンツ上の前記オブジェクトに対する前記閲覧者の操作を監視して、操作された前記オブジェクトに対応する前記属性ＩＤを発生する発生手段と、
属性ＩＤまたは前記属性ＩＤの組み合わせに対応するプロファイル情報が登録されているプロファイル対応表を保持する保持手段と、
前記プロファイル対応表、および発生された前記属性ＩＤに基づいて前記閲覧者の個人プロファイル情報を作成する作成手段と
を含む情報取得装置。
【請求項６】
前記ウェブコンテンツは、３次元仮想空間である
請求項５に記載の情報取得装置。
【請求項７】
ユーザが選択したオブジェクトを組み合わせてウェブコンテンツを生成する生成手段と、
生成された前記ウェブコンテンツに用いられた前記オブジェクトを特定できる属性ＩＤを取得して、属性ＩＤリストを作成する取得手段と、
生成された前記ウェブコンテンツに、作成された前記属性ＩＤリストを含めて所定のサーバに登録する登録手段と
を備える情報処理装置を用いて制作され、ネットワーク上で公開されている前記ウェブコンテンツを閲覧する閲覧者の個人プロファイル情報を取得する情報取得装置の情報取得方法において、
前記属性ＩＤが付与されている前記オブジェクトから構成された前記ウェブコンテンツを、前記ネットワークを介して前記閲覧者側に供給する供給ステップと、
供給された前記ウェブコンテンツ上の前記オブジェクトに対する前記閲覧者の操作を監視して、操作された前記オブジェクトに対応する前記属性ＩＤを発生する発生ステップと、
属性ＩＤまたは前記属性ＩＤの組み合わせに対応するプロファイル情報が登録されているプロファイル対応表、および発生された前記属性ＩＤに基づいて前記閲覧者の個人プロファイル情報を作成する作成ステップと
を含む情報取得方法。
【請求項８】
ユーザが選択したオブジェクトを組み合わせてウェブコンテンツを生成する生成手段と、
生成された前記ウェブコンテンツに用いられた前記オブジェクトを特定できる属性ＩＤを取得して、属性ＩＤリストを作成する取得手段と、
生成された前記ウェブコンテンツに、作成された前記属性ＩＤリストを含めて所定のサーバに登録する登録手段と
を備える情報処理装置を用いて制作され、ネットワーク上で公開されている前記ウェブコンテンツを閲覧する閲覧者の個人プロファイル情報を取得する情報取得装置の制御用のプログラムであって、
前記属性ＩＤが付与されている前記オブジェクトから構成された前記ウェブコンテンツを、前記ネットワークを介して前記閲覧者側に供給する供給ステップと、
供給された前記ウェブコンテンツ上の前記オブジェクトに対する前記閲覧者の操作を監視して、操作された前記オブジェクトに対応する前記属性ＩＤを発生する発生ステップと、
属性ＩＤまたは前記属性ＩＤの組み合わせに対応するプロファイル情報が登録されているプロファイル対応表、および発生された前記属性ＩＤに基づいて前記閲覧者の個人プロファイル情報を作成する作成ステップと
を含む処理を情報取得装置のコンピュータに実行させるプログラムが記録されている記録媒体。
【発明の詳細な説明】
【０００１】
【発明の属する技術分野】
本発明は、情報取得装置および方法、並びに記録媒体に関し、例えば、インタネット上に公開されるウェブ(Web)コンテンツの制作者の趣味や嗜好等の情報（以下、個人プロファイル情報と記述する）を取得したり、インタネット上に公開されるウェブコンテンツを閲覧した人の個人プロファイル情報を取得する場合に用いて好適な情報取得装置および方法、並びに記録媒体に関する。
【０００２】
【従来の技術】
従来、インタネット上に公開されるウェブコンテンツの制作者の個人プロファイル情報や、ウェブコンテコンテンツを閲覧した人の個人プロファイル情報を取得する方法として、例えばアンケートなどが実施されていた。
【０００３】
【発明が解決しようとする課題】
しかしながらアンケートでは、調査対象者に自己のプロファイル情報を能動的、且つ、明示的に入力してもらう必要がある。従って、調査対象者にとって手間が掛かることや、調査対象者が虚偽の入力をする可能性があることに起因して、情報として価値がある個人プロファイル情報を取得することが困難である課題があった。
【０００４】
また、インタネット上に公開されるウェブコンテンツに基づいて、その作成者の個人プロファイル情報を得ることは困難である課題があった。
【０００５】
本発明はこのような状況に鑑みてなされたものであり、調査対象者に意図的な入力を強いることなく、個人プロファイル情報を取得できるようにするものである。
【０００６】
【課題を解決するための手段】
本発明の第１の情報取得装置は、ネットワーク上で公開されているウェブコンテンツを受信する受信手段と、受信されたウェブコンテンツから、ウェブコンテンツを構成するオブジェクトを特定できる属性ＩＤリストを抽出する抽出手段と、属性ＩＤまたは属性ＩＤの組み合わせに対応するプロファイル情報が登録されているプロファイル対応表を保持する保持手段と、プロファイル対応表、および抽出された属性ＩＤリストに基づいて制作者の個人プロファイル情報を作成する作成手段とを含む。
【０００７】
本発明の第１の情報取得方法は、ネットワーク上で公開されているウェブコンテンツを受信する受信ステップと、受信されたウェブコンテンツから、ウェブコンテンツを構成するオブジェクトを特定できる属性ＩＤリストを抽出する抽出ステップと、属性ＩＤまたは属性ＩＤの組み合わせに対応するプロファイル情報が登録されているプロファイル対応表、および抽出された属性ＩＤリストに基づいて制作者の個人プロファイル情報を作成する作成ステップとを含む。
【０００８】
本発明の第１の記録媒体は、ネットワーク上で公開されているウェブコンテンツを受信する受信ステップと、受信されたウェブコンテンツから、ウェブコンテンツを構成するオブジェクトを特定できる属性ＩＤリストを抽出する抽出ステップと、属性ＩＤまたは属性ＩＤの組み合わせに対応するプロファイル情報が登録されているプロファイル対応表、および抽出された属性ＩＤリストに基づいて制作者の個人プロファイル情報を作成する作成ステップとを含む処理を情報取得装置のコンピュータに実行させるプログラムが記録されている。
【０００９】
本発明の第１の情報取得装置および方法、並びに記録媒体のプログラムにおいては、ネットワーク上で公開されているウェブコンテンツが受信され、受信されたウェブコンテンツから、ウェブコンテンツを構成するオブジェクトを特定できる属性ＩＤリストが抽出され、属性ＩＤまたは属性ＩＤの組み合わせに対応するプロファイル情報が登録されているプロファイル対応表、および抽出された属性ＩＤリストに基づいて制作者の個人プロファイル情報が作成される。
【００１０】
本発明の第２の情報取得装置は、属性ＩＤが付与されているオブジェクトから構成されたウェブコンテンツを、ネットワークを介して閲覧者側に供給する供給手段と、供給されたウェブコンテンツ上のオブジェクトに対する閲覧者の操作を監視して、操作されたオブジェクトに対応する属性ＩＤを発生する発生手段と、属性ＩＤまたは属性ＩＤの組み合わせに対応するプロファイル情報が登録されているプロファイル対応表を保持する保持手段と、プロファイル対応表、および発生された属性ＩＤに基づいて閲覧者の個人プロファイル情報を作成する作成手段とを含む。
【００１１】
本発明の第２の情報取得方法は、属性ＩＤが付与されているオブジェクトから構成されたウェブコンテンツを、ネットワークを介して閲覧者側に供給する供給ステップと、供給されたウェブコンテンツ上のオブジェクトに対する閲覧者の操作を監視して、操作されたオブジェクトに対応する属性ＩＤを発生する発生ステップと、属性ＩＤまたは属性ＩＤの組み合わせに対応するプロファイル情報が登録されているプロファイル対応表、および発生された属性ＩＤに基づいて閲覧者の個人プロファイル情報を作成する作成ステップとを含む。
【００１２】
本発明の第２の記録媒体は、属性ＩＤが付与されているオブジェクトから構成されたウェブコンテンツを、ネットワークを介して閲覧者側に供給する供給ステップと、供給されたウェブコンテンツ上のオブジェクトに対する閲覧者の操作を監視して、操作されたオブジェクトに対応する属性ＩＤを発生する発生ステップと、属性ＩＤまたは属性ＩＤの組み合わせに対応するプロファイル情報が登録されているプロファイル対応表、および発生された属性ＩＤに基づいて閲覧者の個人プロファイル情報を作成する作成ステップとを含む処理を情報取得装置のコンピュータに実行させるプログラムが記録されている。
【００１３】
本発明の第２の情報取得装置および方法、並びに記録媒体のプログラムにおいては、属性ＩＤが付与されているオブジェクトから構成されたウェブコンテンツが、ネットワークを介して閲覧者側に供給され、供給されたウェブコンテンツ上のオブジェクトに対する閲覧者の操作を監視して、操作されたオブジェクトに対応する属性ＩＤが発生され、属性ＩＤまたは属性ＩＤの組み合わせに対応するプロファイル情報が登録されているプロファイル対応表、および発生された属性ＩＤに基づいて閲覧者の個人プロファイル情報が作成される。
【００１８】
【発明の実施の形態】
図１は、本発明を適用した制作者プロファイル取得システムの一実施の形態を示している。この制作者プロファイル取得システムは、ウェブコンテンツ制作者の個人プロファイル情報を取得するためのシステムであり、インタネット３を介して接続されているユーザ端末１，２、コンテンツ管理サーバ４、および個人プロファイル取得エンジン管理サーバ５から構成される。
【００１９】
ユーザ端末１は、ウェブコンテンツを制作するためコンテンツ制作者が操作する装置である。ユーザ端末１は、例えば、パーソナルコンピュータにアプリケーションプログラムであるウェブコンテンツ作成ツールを実行させることにより実現される。
【００２０】
ユーザ端末２は、インタネット３上に公開されているホームページ等のウェブコンテンツを閲覧する閲覧者が操作する装置である。ユーザ端末２は、例えば、パーソナルコンピュータにアプリケーションプログラムであるWWW(World Wide Web)ブラウザを実行させることにより実現される。
【００２１】
コンテンツサーバ４は、ユーザ端末１で制作されたウェブコンテンツを管理するサーバであり、ユーザ端末２または個人プロファイル取得エンジン管理サーバ５からのアクセスに対応し、管理しているウェブコンテンツをインタネット３を介してユーザ端末２または個人プロファイル取得エンジン管理サーバ５に供給する。
【００２２】
個人プロファイル取得エンジン管理サーバ５は、インタネット３を介してコンテンツ管理サーバ４にアクセスし、コンテンツ管理サーバ４が管理しているウェブコンテンツを取得し、取得したウェブコンテンツに含まれる属性ＩＤリストファイル３４（図３）を抽出してプロファイルマッチパターンリスト６に照らし合わせることにより、当該ウェブコンテンツの制作者の個人プロファイル情報を取得して、個人プロファイルデータベース７に記録する。
【００２３】
なお当然ながら、インタネット３には、ユーザ端末１，２、またはコンテンツ管理サーバ４の他に、同様のユーザ端末や各種サーバが接続されている。
【００２４】
図２は、ユーザ端末１の構成例を示している。ユーザ端末１は、CPU(Central Proccessing Unit)１１を内蔵している。CPU１１にはバス１４を介して、入出力インタフェース１５が接続されており、入出力インタフェース１５には、キーボード、マウスなどの入力デバイスよりなる入力部１６、処理結果としての画像を表示するディスプレイなどよりなる表示部１７、プログラムや各種データを格納するハードディスクドライブなどよりなる記憶部１８、インタネット３を介してデータを通信するモデムなどよりなる通信部１９、および、磁気ディスク２１乃至半導体メモリ２４などの記憶媒体とデータを授受するドライブ２０が接続されている。バス１４には、ROM(Read Only Memory)１２およびRAM(Random Access Memory)が接続されている。
【００２５】
ユーザ端末１で実行されるウェブコンテンツ制作ツールのプログラムは、磁気ディスク２１乃至半導体メモリ２４に記録された状態でユーザ端末１に供給され、ドライブ２０によって読み出されて、記憶部１８に内蔵されるハードディスクドライブにインストールされている。記憶部１８にインストールされているウェブコンテンツ制作ツールのプログラムは、入力部１６に入力されるユーザからの起動コマンドに対応するCPU１１の指令によって、記憶部１８からRAM１３にロードされて実行される。
【００２６】
なお、ユーザ端末２も、ユーザ端末１と同様に構成されている。ユーザ端末２に内蔵されるハードディスクドライブには、WWWブラウザ、 その他のアプリケーションプログラム（例えば、３Ｄコンテンツを表示させるための３Ｄブラウザ等）がインストールされている。
【００２７】
次に、ユーザ端末１で実行されるウェブコンテンツ制作ツールについて、図３を参照して説明する。ウェブコンテンツ制作ツール３１は、インタネット３上で公開するウェブコンテンツとしての仮想３Ｄ空間を制作するアプリケーションプログラムである。
【００２８】
ウェブコンテンツ制作ツール３１は、オブジェクトライブラリ３２に予め用意されている多数のオブジェクトのうち、ユーザ（ユーザ端末１の操作者）の選択に対応するものを読み出して組み合わせることにより仮想３Ｄ空間を表示させるためのウェブコンテンツ３３を制作する。
【００２９】
オブジェクトライブラリ３２に用意されているオブジェクトとは、仮想３Ｄ空間を構成するための部屋の形状や、部屋の中に配置する家具や置物などの３Ｄ画像を指す。各オブジェクトには、それぞれ、当該オブジェクトを特定できる属性ＩＤが設定されている。
【００３０】
ウェブコンテンツ制作ツール３１はまた、ウェブコンテンツ３３を制作するとき、用いた全てのオブジェクトに対応する属性ＩＤのリスト化して属性ＩＤリストファイル３４を生成する。
【００３１】
ウェブコンテンツ制作ツール３１はさらに、制作した属性ＩＤリストファイル３４を含むウェブコンテンツ３３を、インタネット３を介してコンテンツ管理サーバ４にアップロードする。
【００３２】
次に、ユーザ端末１で実行されるウェブコンテンツ制作ツール３１の処理について、図４のフローチャートを参照して説明する。ステップＳ１において、コンテンツ制作ツール３１は、オブジェクトライブラリ３２に予め用意されている多数のオブジェクトを表示部１７に表示させてユーザの選択を促し、ユーザが選択したオブジェクトの３Ｄ画像データをオブジェクトライブラリ３２から読み出して組み合わせることにより、ウェブコンテンツ３３を制作する。
【００３３】
ステップＳ２において、ウェブコンテンツ制作ツール３１は、ウェブコンテンツ３３を制作するときに用いた全てのオブジェクトに対応する属性ＩＤをオブジェクトライブラリ３２から読み出して、属性ＩＤリストファイル３４を生成する。
【００３４】
ステップＳ３において、ウェブコンテンツ制作ツール３１は、属性ＩＤリストファイルを含むウェブコンテンツ３３を、インタネット３を介してコンテンツ管理サーバ４にアップロードする。
【００３５】
以上のような処理によってコンテンツ管理サーバ４にアップロードされたウェブコンテンツ３３（属性ＩＤリストファイル３４を含む）は、インタネット３上で公開されることになる。
【００３６】
次に、個人プロファイル取得エンジン管理サーバ５の処理について、図５のフローチャートを参照して説明する。ステップＳ１１において、個人プロファイル取得エンジン管理サーバ５は、インタネット３に接続されているサーバ（コンテンツ管理サーバ３等）を走査して、各サーバが管理するウェブコンテンツを取得し、取得したウェブコンテンツのうち、属性ＩＤリストファイル３４を含むウェブコンテンツ３３から、属性ＩＤリストファイル３４を抽出する。ステップＳ１２において、個人プロファイル取得エンジン管理サーバ５は、抽出した属性ＩＤリストファイル３４をプロファイルマッチパターンリスト６に照らし合わせることにより、属性ＩＤをプロファイル情報に変換する。
【００３７】
なお、プロファイルマッチパターンリスト６には、各属性ＩＤまたは属性ＩＤの組み合わせにプロファイル情報が対応付けて記録されている。例えば、部屋の形状を示すオブジェクト「テント」の属性ＩＤには、プロファイル情報として「趣味：アウトドア」が対応付けられいる。また例えば、置物を示すオブジェクト「カメラ」の属性ＩＤには、プロファイル情報として「趣味：写真撮影」が対応付けられている。さらに例えば、置物を示すオブジェクト「灰皿」の属性ＩＤには、プロファイル情報として「嗜好：喫煙」が対応付けられている。
【００３８】
プロファイルマッチパターンリスト６に記録されている属性ＩＤまたは属性ＩＤの組み合わせとプロファイル情報の対応付けは、適宜更新されるものとする。
【００３９】
ステップＳ１３において、個人プロファイル取得エンジン管理サーバ５は、ステップＳ１２の処理で属性ＩＤから変換されたプロファイル情報を用いて、当該ウェブコンテンツ制作者の個人プロファイル情報を生成し、個人プロファイルデータベース７に記録する。例えば、ステップＳ１１で抽出した属性ＩＤリストファイル３４のなかに「テント」の属性ＩＤと「灰皿」の属性ＩＤが存在していれば、趣味の項目は「アウトドア」とされ、嗜好の項目は「喫煙」とされた当該ウェブコンテンツ制作者の個人プロファイル情報が生成されて個人プロファイルデータベース７に記録されることになる。
【００４０】
以上のように、作成者プロファイル取得システムによれば、ウェブコンテンツ作成ツール３１を用いてウェブコンテンツを制作し、そのウェブコンテンツをインタネット３上で公開している人物に対して、趣味等のプロファイル情報の入力や提出を要求することなく、当該人物の個人プロファイル情報を取得することが可能となる。
【００４１】
次に、本発明を適用した閲覧者プロファイル取得システムの一実施の形態について、図６を参照して説明する。この閲覧者プロファイル取得システムは、インタネット３上に公開されているウェブコンテンツを閲覧した閲覧者の個人プロファイル情報を取得するためのシステムである。
【００４２】
ユーザ端末２は、閲覧者が操作するパーソナルコンピュータなどであり、WWWブラウザを実行することにより３Ｄコンテンツサーバ４１にアクセスし、得られる仮想３Ｄ空間のウェブコンテンツを３Ｄコンテンツを実行することにより再生する。
【００４３】
３Ｄコンテンツサーバ４１は、ウェブコンテンツとしての仮想３Ｄ空間を管理するサーバであり、ユーザ端末２からのアクセスに対応して、管理している仮想３Ｄ空間のウェブコンテンツをインタネット３を介してユーザ端末２に送信する。
【００４４】
ここで、仮想３Ｄ空間のウェブコンテンツとは、ユーザ端末２で実行される３Ｄブラウザによって再生されるものであり、ユーザ端末２のユーザ（以下、閲覧者とも記述する）は、マウスやカーソルを操作することにより、ユーザ端末２のモニタに表示される仮想３Ｄ空間の中を移動したり、（実際には、表示される仮想３Ｄ空間の画像が移動する）、仮想３Ｄ空間の中に置かれているオブジェクトをクリックして、その詳細を表示させたり、対応する何らかの処理を実行させることができる。仮想３Ｄ空間の中に置かれているオブジェクトには、それぞれ属性ＩＤが付与されている。
【００４５】
３Ｄコンテンツサーバ４１はさらに、ユーザ端末２に入力される仮想３Ｄ空間に対する閲覧者の操作（移動指示やオブジェクトに対するクリック等）に基づき、閲覧者が興味を示したオブジェクトの属性ＩＤを取得して、その情報を個人プロファイル取得エンジン４２に出力する。
【００４６】
３Ｄコンテンツサーバ４１等により実行されるプログラムである個人プロファイル取得エンジン４２は、３Ｄコンテンツ管理サーバ４１から入力される属性ＩＤを属性ＩＤプロファイル対応表４３に照らし合わせることにより、閲覧者の個人プロファイル情報を取得して、個人プロファイルデータベース４４に記録する。
【００４７】
次に、閲覧者プロファイル取得システムの閲覧者プロファイル取得処理について、図７のフローチャートを参照して説明する。この閲覧者プロファイル取得処理は、閲覧者がユーザ端末２で実行されるWWWブラウザを操作して、３Ｄコンテンツサーバ４１にアクセスしたとき開始される。
【００４８】
ステップＳ２１において、３Ｄコンテンツサーバ４１は、ユーザ端末２からのアクセスに対応して、管理している仮想３Ｄ空間のウェブコンテンツをインタネット３を介してユーザ端末２に送信する。
【００４９】
ユーザ端末２で受信された仮想３Ｄ空間のウェブコンテンツは、３Ｄブラウザによって再生され、対応する仮想３Ｄ空間の画面がユーザ端末２のモニタに表示される。閲覧者がマウスやカーソルを操作することにより、表示された仮想３Ｄ空間の中を移動したり、仮想３Ｄ空間の中に置かれているオブジェクトがクリックすると、閲覧者の操作の情報が、インタネット３を介して３Ｄコンテンツサーバ４１に逐次、送信される。
【００５０】
ステップＳ２２において、３Ｄコンテンツサーバ４１は、インタネット３を介してユーザ端末２から送信される閲覧者の操作の情報の監視を開始する。ステップＳ２３において、３Ｄコンテンツサーバ４１は、ユーザ端末２からのアクセスが終了したか否かを判定し、アクセスが終了していないと判定した場合、ステップＳ２４に進む。
【００５１】
ステップＳ２４において、３Ｄコンテンツサーバ４１は、閲覧者の操作の情報に基づき、閲覧者が興味を示したオブジェクトの属性ＩＤを取得して、その情報を個人プロファイル取得エンジン４２に出力する。
【００５２】
ステップＳ２５において、個人プロファイル取得エンジン４２は、３Ｄコンテンツ管理サーバ４１から入力される属性ＩＤを属性ＩＤプロファイル対応表４３に照らし合わせることにより、プロファイル情報に変換する。
【００５３】
なお、属性ＩＤプロファイル対応表４３には、各属性ＩＤまたは属性ＩＤの組み合わせとプロファイル情報との対応関係が記録されている。例えば、仮想３Ｄ空間に置かれているオブジェクト「ミュージックプレイヤ（J-POP）」の属性ＩＤには、プロファイル情報として「好きな音楽分野：ジャパニーズポップス」が対応付けられている。
【００５４】
ステップＳ２６において、個人プロファイル取得エンジン４２は、ステップＳ２５で属性ＩＤから変換したプロファイル情報を、閲覧者の個人プロファイル情報として個人プロファイルデータベース４４に追加して記録する。例えば、閲覧者が仮想３Ｄ空間に置かれているミュージックプレイヤ（J-POP）をクリックした場合、閲覧者の個人プロファイル情報の好きな音楽分野の項目には、「ジャパニーズポップス」が追加される。
【００５５】
以後、ステップＳ２３において、ユーザ端末２からのアクセスが終了したと判定されるまで、ステップＳ２３乃至Ｓ２６の処理が繰り返されて、個人プロファイルデータベース４４には、閲覧者の個人プロファイル情報として、例えば、「ジャパニーズポップスが好き。演奏することよりも聞くことに興味がある。１０歳代から３０歳代半ば。インタネット上のストリーミングデータに興味がある」等のように順次項目が増加して記録されることになる。
【００５６】
なお、ステップＳ２３において、ユーザ端末２からのアクセスが終了したと判定された場合、この閲覧者プロファイル取得処理は終了される。
【００５７】
以上のように、閲覧者プロファイル取得システムによれば、インタネット３上で公開されている仮想３Ｄ空間のウェブコンテンツを閲覧した人に対して、趣味等のプロファイル情報の入力や提出を要求することなく、当該閲覧した人の個人プロファイル情報を取得することが可能となる。
【００５８】
なお、閲覧者の操作に逐次対応して個人プロファイル情報を追加するだけでなく、閲覧者の操作履歴を記録し、その操作履歴の基づいて個人プロファイル情報を生成するようにしてもよい。
【００５９】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００６０】
この記録媒体は、図２に示すように、コンピュータ（図１のユーザ端末１に相当する）とは別に、ユーザにプログラムを提供するために配布される、プログラムが記録されている磁気ディスク２１（フロッピディスクを含む）、光ディスク２２（CD-ROM(Compact Disc-Read Only Memory)、DVD(Digital Versatile Disc)を含む）、光磁気ディスク２３（ＭＤ(Mini Disc)を含む）、もしくは半導体メモリ２４などよりなるパッケージメディアにより構成されるだけでなく、コンピュータに予め組み込まれた状態でユーザに提供される、プログラムが記録されているROM１２や記憶部１８に含まれるハードディスクなどで構成される。
【００６１】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００６２】
また、本明細書において、システムとは、複数の装置により構成される装置全体を表すものである。
【００６３】
【発明の効果】
以上のように、本発明の第１の情報取得装置および方法、並びに記録媒体のプログラムによれば、ウェブコンテンツ制作者に意図的な入力を強いることなく、当該ウェブコンテンツ制作者の個人プロファイル情報を取得することが可能となる。
【００６４】
また、本発明の第２の情報取得装置および方法、並びに記録媒体のプログラムによれば、ウェブコンテンツの閲覧者に意図的な入力を強いることなく、当該ウェブコンテンツの閲覧者の個人プロファイル情報を取得することが可能となる。
【００６５】
また、請求項８に記載の情報取得装置、請求項１０に記載の情報取得方法、および請求項１１に記載の記録媒体のプログラムによれば、識別情報が付与されているオブジェクトから構成されるウェブコンテンツをネットワークを介して閲覧者側に供給し、ウェブコンテンツに対する閲覧者の操作を監視して、操作されたオブジェクトに対応する識別情報を発生するようにしたので、ウェブコンテンツの閲覧者に意図的な入力を強いることなく、当該ウェブコンテンツの閲覧者の個人プロファイル情報を取得することが可能となる。
【図面の簡単な説明】
【図１】本発明を適用した作成者プロファイル取得システムの一実施の形態を示すブロック図である。
【図２】図１のユーザ端末１の構成例を示すブロック図である。
【図３】ユーザ端末１で実行されるウェブコンテンツ制作ツール３１を説明するための図である。
【図４】ウェブコンテンツ制作ツール３１の処理を説明するフローチャートである。
【図５】図１の個人プロファイル取得エンジン管理サーバ５の処理を説明するフローチャートである。
【図６】本発明を適用した閲覧者プロファイル取得システムの一実施の形態を示すブロック図である。
【図７】閲覧者プロファイル取得システムの処理を説明するフローチャートである。
【符号の説明】
１，２  ユーザ端末，  ３  インタネット，  ５  個人プロファイル取得エンジン管理サーバ，  ６  プロファイルマッチパターンリスト，  ７  個人プロファイルデータベース，  １１  CPU，  ２１  磁気ディスク，  ２２  光ディスク，  ２３  光磁気ディスク，  ２４  半導体メモリ，  ３１  ウェブコンテンツ制作ツール，  ４１  ３Ｄコンテンツ管理サーバ，  ４２  個人プロファイル取得エンジン，  ４３  属性ＩＤプロファイル対応表，  ４４  個人プロファイルデータベース
【図１】
0004487379.tif 000002
【図２】
0004487379.tif 000003
【図３】
0004487379.tif 000004
【図４】
0004487379.tif 000005
【図５】
0004487379.tif 000006
【図６】
0004487379.tif 000007
【図７】
0004487379.tif 000008